(57)【特許請求の範囲】
【請求項１】
表面に装飾面が形成された第一演出部材と、
前記第一演出部材の少なくとも一部と前後方向で重なる態様に変化可能な第二演出部材と、
を備え、
前記第一演出部材における前記第二演出部材と前後方向で重なる範囲には光源が設けられていない一方、前記第二演出部材にはその裏面側に後方に向けて光を照射する光源が設けられており、
前記第一演出部材と前記第二演出部材が前後方向で重なった状態にあるときには前記第一演出部材の装飾面側と前記第二演出部材の裏面側との間に空間が形成され、前記第二演出部材に設けられた光源がその裏面側から前記第一演出部材の装飾面に向けて光を照射するように構成されていることを特徴とする遊技機。
【請求項２】
前記第一演出部材の装飾面は、前記第二演出部材に設けられた光源から出射された光を反射可能な材料で形成されていることを特徴とする請求項１に記載の遊技機。
【請求項３】
前記第二演出部材には、裏面側および表面側に光源が実装された基板が設けられ、
当該基板の裏面側に実装された光源が前記第一演出部材の装飾面に向けて光を照射し、当該基板の表面側に実装された光源が前記第二演出部材の表面に形成された装飾面に向けて光を照射することで当該装飾面をその裏面側から照らすように構成されていることを特徴とする請求項１または請求項２に記載の遊技機。
【請求項４】
前記第一演出部材は、複数の態様に変化可能に構成されるとともに、そのうちの一態様に変化した状態を維持しながら回転可能に構成され、
前記第二演出部材は、前記一態様に変化した第一演出部材の少なくとも一部と前後方向で重なる態様に変化したときに、前記第二演出部材に設けられた光源が回転する前記第一演出部材の装飾面に向けて光を照射するように構成されていることを特徴とする請求項１から請求項３のいずれか一項に記載の遊技機。
【請求項５】
前記第一演出部材は、複数の態様に変化可能に構成されるとともに、そのうちの一態様においてある所定の態様に変化した前記第二演出部材と前後方向で重なるように構成され、
当該一態様に変化した第一演出部材の後方には表示装置が位置し、
この表示装置が第一演出部材の裏面側に向けて光を照射することで当該第一演出部材をその裏面側から照らすとともに、前記第二演出部材に設けられた光源が前記第一演出部材の装飾面に向けて光を照射するように構成されていることを特徴とする請求項１から請求項４のいずれか一項に記載の遊技機。
【発明の詳細な説明】
【技術分野】
【０００１】
本発明は、演出効果を高める演出部材を備えた遊技機に関する。
【背景技術】
【０００２】
例えば下記特許文献１に記載されるように、演出部材が表示装置の前方まで移動してくることがある遊技機が知られている。この特許文献１に記載の遊技機は、銅鑼の形をした演出部材と剣の形をした演出部材とが、前後方向（表示装置の表示面に直交する方向）で重なりあうことが可能な構成である（特許文献１の図１２等参照）。
【先行技術文献】
【特許文献】
【０００３】
【特許文献１】特開２０１１−９２６４８号公報
【発明の概要】
【発明が解決しようとする課題】
【０００４】
このような二種の演出部材が前後方向で重なる従来の遊技機では、重なる演出部材の間には光が進入しにくく、表示装置や演出部材そのものが暗く見えてしまうことがある。これを解消するため演出部材自体に光源を設けようとすると、光源や基板、配線といった電気的な部材によって、大型化（厚みの増加）、デザイン性の低下、大型化や配線によって可能な動きが限定されることによる動きの単調化、などといった問題が生じてしまう。
【０００５】
本発明は、重なり合う二種の演出部材を備える遊技機において、当該演出部材の重なりにより遊技領域が暗くなってしまうのを抑制することを目的とする。
【課題を解決するための手段】
【０００６】
上記課題を解決するためになされた請求項１の発明にかかる遊技機は、表面に装飾面が形成された第一演出部材と、前記第一演出部材の少なくとも一部と前後方向で重なる態様に変化可能な第二演出部材と、を備え、前記第一演出部材における前記第二演出部材と前後方向で重なる範囲には光源が設けられていない一方、前記第二演出部材にはその裏面側に後方に向けて光を照射する光源が設けられており、前記第一演出部材と前記第二演出部材が前後方向で重なった状態にあるときには前記第一演出部材の装飾面側と前記第二演出部材の裏面側との間に空間が形成され、前記第二演出部材に設けられた光源がその裏面側から前記第一演出部材の装飾面に向けて光を照射するように構成されていることを特徴とする。
【０００７】
請求項２に記載の発明は、請求項１に記載の遊技機において、前記第一演出部材の装飾面は、前記第二演出部材に設けられた光源から出射された光を反射可能な材料で形成されていることを特徴とする。
【０００８】
請求項３に記載の発明は、請求項１または請求項２に記載の遊技機において、前記第二演出部材には、裏面側および表面側に光源が実装された基板が設けられ、当該基板の裏面側に実装された光源が前記第一演出部材の装飾面に向けて光を照射し、当該基板の表面側に実装された光源が前記第二演出部材の表面に形成された装飾面に向けて光を照射することで当該装飾面をその裏面側から照らすように構成されていることを特徴とする。
【０００９】
請求項４に記載の発明は、請求項１から請求項３のいずれか一項に記載の遊技機において、前記第一演出部材は、複数の態様に変化可能に構成されるとともに、そのうちの一態様に変化した状態を維持しながら回転可能に構成され、前記第二演出部材は、前記一態様に変化した第一演出部材の少なくとも一部と前後方向で重なる態様に変化したときに、前記第二演出部材に設けられた光源が回転する前記第一演出部材の装飾面に向けて光を照射するように構成されていることを特徴とする。
【００１０】
請求項５に記載の発明は、請求項１から請求項４のいずれか一項に記載の遊技機において、前記第一演出部材は、複数の態様に変化可能に構成されるとともに、そのうちの一態様においてある所定の態様に変化した前記第二演出部材と前後方向で重なるように構成され、当該一態様に変化した第一演出部材の後方には表示装置が位置し、この表示装置が第一演出部材の裏面側に向けて光を照射することで当該第一演出部材をその裏面側から照らすとともに、前記第二演出部材に設けられた光源が前記第一演出部材の装飾面に向けて光を照射するように構成されていることを特徴とする。
【発明の効果】
【００１１】
請求項１に記載の発明では、第一演出部材は少なくとも第二演出部材と前後方向で重なる範囲において光源を備えていないが、第二演出部材と前後方向で重なったとき、この第二演出部材に設けられた光源により照らされる。つまり、当該演出部材の重なりにより遊技領域が暗くなってしまうのを抑制することが可能である。
【００１２】
請求項２に記載の発明によれば、第二演出部材と前後方向で重なることがある第一演出部材の装飾面は、光源から出射された光を反射可能な材料で形成されているため、第二演出部材と前後方向で重なる範囲において光源が設けられていない第一演出部材に、あたかも光源が設けられているかのような演出効果を発現させることが可能となる。
【００１３】
請求項３に記載の発明のように、第一演出部材とは異なる演出部材である第二演出部材に第二演出部材の装飾面を照らすための光源が設けられる場合には、当該光源が実装される基板を第一演出部材を照らすための光源が実装される基板として共通化を図ることが可能である。すなわち、第二演出部材を演出部材としてだけでなく第一演出部材の演出効果を向上させる部材として機能させることが可能である。
【００１４】
請求項４に記載の発明のように、第一演出部材は、複数の演出態様のうちの一態様に変化したときその態様を維持しながら回転することが可能である。このように回転している第一演出部材に対し第二演出部材に設けられた光源から光を照射することで、当該光が第一演出部材の装飾面でランダムに反射されるから、より激しい演出効果を発現させることが可能である。このように第一演出部材が回転する場合、第一演出部材自体に光源を設けることは極めて困難である。第一演出部材に設けられた光源に電力を供給したり、制御信号を送る配線を、回転することがある（位置が変化する）第一演出部材に沿って設けることは困難であるからである。上記請求項４にかかる発明によれば、このように光源を設けることが極めて困難な回転する演出部材であっても、光源を設けた場合に匹敵する演出効果を発現させることが可能である。
【００１５】
請求項５に記載の発明によれば、第一演出部材が第二演出部材に設けられた光源による前方からの光および表示装置による後方からの光によって照らされた演出を提供することが可能である。
【図面の簡単な説明】
【００１６】
【図１】本発明の実施形態にかかる遊技機の正面図である。
【図２】センターベースユニット（図を分かりやすくするため一つの第一演出部材以外の第一演出部材と二つの第二演出部材以外の第二演出部材は削除している）の正面図である。
【図３】図２に示したＡ−Ａ線断面図である。
【図４】図３に示したセンターベースユニットの斜視図である。
【図５】図３に示したセンターベースユニットの分解斜視図である。
【図６】第一演出部材が非演出態様にあるときの正面図（図６（ａ））および第一演出部材が演出態様にあるときの正面図（図６（ｂ））である。
【図７】第二演出部材が非演出態様にあるときの正面図（図７（ａ））および第二演出部材が演出態様にあるときの正面図（図７（ｂ））である。
【図８】第二演出部材が非演出態様にあるときの背面図（図８（ａ））および第二演出部材が演出態様にあるときの背面図（図８（ｂ））である。
【図９】演出体を装飾部側から見た分解斜視図（図９（ａ））およびベース部側から見た分解者視図（図９（ｂ））である。
【図１０】全ての第一演出部材および全ての第二演出部材が非演出態様にあるときのセンターベースユニットの正面図である。
【図１１】全ての第一演出部材および全ての第二演出部材が演出態様にあり、第一演出部材が回転しているときのセンターベースユニットの正面図である。
【図１２】演出態様に位置する第一演出部材が回転する構造を説明するための図である。
【発明を実施するための形態】
【００１７】
（遊技機の全体構成）
以下、本発明にかかる実施形態について図面を参照して詳細に説明する。なお、以下の説明において単に平面方向というときは表示装置９３の表示画面に沿う方向をいい、単に前後方向というときは平面方向に直交する方向（遊技者側を前、その反対を後とする）をいうものとする。また、図を分かりやすくするため、図２〜図６においては、本実施形態にかかる遊技機１が備える複数の第一演出部材３のうち、ある一つの第一演出部材３以外の演出部材は削除している。同様に、当該図２〜図６においては、本実施形態にかかる遊技機１が備える複数の第二演出部材５のうち、上記ある一つの第一演出部材３に前後方向で重なりうる二つの第二演出部材５以外の第二演出部材５は削除している。これに対し、図１０〜図１２には、全ての第一演出部材３および全ての第二演出部材５を表示している。
【００１８】
まず、図１および図２等を参照して遊技機１の構成について簡単に説明する。遊技機１の骨格は、周知の構成が適用できる。例えば、図１に示すように、額縁形状の機枠９０に前面枠９１が回動自在に支持されてなる。前面枠９１には、前側から遊技盤１１を視認可能とする透明な板が設けられている。
【００１９】
遊技盤１１は、ほぼ正方形の合板により成形されており、前面枠９１に着脱可能に取り付けられている。この遊技盤１１には、略中央に形成された開口９２１を取り囲むように装飾部材等を有するセンター役物１２が取り付けられており、この遊技盤１１およびセンター役物１２の一部の前側に、発射された遊技球が流下する遊技領域１３が設けられる。遊技盤１１には、発射装置９６の操作によって発射された遊技球を遊技領域１３に案内する金属製の薄板からなる帯状のガイドレール９２が略円弧形状となるように設けられている。
【００２０】
遊技領域１３には、表示装置９３、始動入賞口９４１、大入賞口９４２、アウト口９５などが設けられている。表示装置９３は、例えば液晶表示装置が用いられ、表示装置９３の表示画面（表示部）において特別図柄や普通図柄等が表示される。かかる表示装置９３の表示画面は、遊技盤１１に形成された開口９２１を通じて視認可能である。
【００２１】
表示装置９３は、遊技盤１１の後方に設けられたセンターベース２の後方に取り付けられている。センターベース２には開口２１が形成されており、この開口２１を覆うように表示装置９３が取り付けられている。つまり、表示装置９３の表示画面は、センターベース２に形成された開口２１および遊技盤１１に形成された開口９２１を通じて視認可能である。このセンターベース２には、表示装置９３の他に、第一演出部材３および第二演出部材５が取り付けられている（センターベースおよびこれに取り付けられた各部材の組体をセンターベースユニットと称する）。これらセンターベース２に取り付けられた各構成（特に第一演出部材３および第二演出部材５）の詳細や位置関係については後述する。
【００２２】
また、遊技領域１３には、流下する遊技球が衝突することにより遊技球の流下態様に変化を与える障害物としての遊技釘９２３が複数設けられている。遊技領域１３を流下する遊技球は、遊技釘に衝突したときの条件に応じて様々な態様に変化する。
【００２３】
このような遊技機１では、発射装置９６（ハンドル）を操作することにより遊技領域１３に向けて上皿９７内の遊技球を発射する。遊技領域１３を流下する遊技球が、始動入賞口９４１や大入賞口９４２等の入賞口に入賞すると、所定の数の賞球が払出装置により払い出される。その他、大当たりの抽選方法や演出等は、公知の遊技機と同様のものが適用できるため、説明は省略する。
【００２４】
以下、遊技機１が備える第一演出部材３および第二演出部材５の構成および動作について図２〜図１２を参照して詳細に説明する。
【００２５】
第一演出部材３は、複数の態様に変化可能に構成される部材である。本実施形態では、第一演出部材３は、原位置に位置した状態である非演出態様と終端位置に位置した状態である演出態様のいずれかの態様に変化することができる。また、演出態様となったときにはその状態を維持したまま回転することもできる。具体的な構成は以下の通りである。
【００２６】
本実施形態の第一演出部材３は、周方向等間隔に並ぶ同じ構成の部材組を四組有する（図１１、図１２参照）。当該各部材組は、二つの支持体３１、３２と、二つの装飾体３３、３４と、一つの回転体３５と、を有する。支持体３１、３２における周方向外側の一方側端部３１１、３２１は、リング歯車４２に形成された長孔４２１内に挿入されている。長孔４２１はリング歯車４２の中心から遠い部分と近い部分とを含む形状となっており、上記一方側端部３１１、３２１はこの長孔４２１に沿って移動可能である。支持体３１、３２における他方側端部は装飾体３３、３４の一方側端部に回転自在に接続されている。装飾体３３と装飾体３４の他方側端部は互いに回転自在に支持されている。回転体３５の裏側には図示されない歯車部が設けられている。また、二つの支持体のうちの一方の支持体３１における他方側端部の外側は歯車部３１２となっている。回転体３５の歯車部と支持体３１の歯車部は、ともに図示されない中間歯車に噛み合っている。
【００２７】
各部材組における装飾体３３、３４と回転体３５の表面（前側の面）は、メッキなどによって形成された装飾面３６となっている。具体的には、詳細を後述する第二演出部材５に設けられた後側光源５４から出射された光が反射可能な材料で形成されている。当該装飾体３３、３４および回転体３５は、演出位置に位置する状態において、第二演出部材５の演出体５２と前後方向で重なることがある部分である。
【００２８】
また、このような構成の第一演出部材３における少なくとも第二演出部材５と前後方向で重なる可能性がある範囲には光源が設けられていない。なお、本実施形態では、このような範囲に限られず第一演出部材３に設けられる光源は存在しない。
【００２９】
上記リング歯車４２は、外周に歯車部が形成された環状の部材である。このリング歯車４２の歯車部は、第一演出部材駆動モータ４の出力軸と一体的に回転する出力歯車４１に噛み合っている。したがって、第一演出部材３が非演出態様にある状態で第一演出部材駆動モータ４を一方に駆動させると、図６（ａ）に示す矢印の方向にリング歯車４２が回転し、その場に留まろうとする第一演出部材３と回転するリング歯車４２の相対的な位置関係が変化する。つまり、リング歯車４２の長孔４２１の位置は周方向に変化するものの、第一演出部材３を構成する各支持体３１、３２の一方側端部３１１、３２１はその場に留まろうとするため、長孔４２１内における当該一方側端部３１１、３２１の相対的な位置が変化する。具体的には、リング歯車４２が回転する前には長孔４２１内におけるリング歯車４２の中心から遠い部分に位置していた各支持体３１、３２の一方側端部３１１、３２１が、リング歯車４２が回転すると長孔４２１内におけるリング歯車４２の中心から近い部分に移動する。
【００３０】
このように各支持体３１、３２の一方側端部３１１、３２１が長孔４２１内を相対的に移動すると、当該一方側端部３１１、３２１が長孔４２１の周囲の壁面に押され、各支持体３１、３２は、その他方側端部がリング歯車４２の中央に近づく方向に移動する。これに伴って各装飾体３３、３４もその他方側端部がリング歯車４２の中央に近づく方向に移動する。これにより第一演出部材３は演出態様となる。また、各部材組の一方の支持体３１の他方側端部には歯車部３１２が形成されているため、当該支持体３１の他方側端部３１２がリング歯車４２の中央に近づく方向に移動する際、中間歯車が回転し、それに噛み合う回転体３５の歯車部も回転する。つまり、本実施形態では、回転体３５が回転しながら第一演出部材３（装飾体３３、３４および支持体３１、３２）が非演出態様から演出態様に変化する。具体的には、各回転体３５がリング歯車４２の径方向外側に位置した状態から中央に集まるような態様の変化が見られる。
【００３１】
第一演出部材３が非演出態様から演出態様に変化した後、さらに第一演出部材駆動モータ４を一方に駆動させ続ける（リング歯車４２を回転させ続ける）と、各支持体３１、３２の一方側端部３１１、３２１はそれ以上長孔４２１内を移動することができない状態にあるから、第一演出部材３はリング歯車４２とともに回転する。つまり、演出態様となった第一演出部材３は、その態様（回転体３５が中央に集まった状態）を維持したままリング歯車４２とともに回転する（図１２参照）。
【００３２】
第二演出部材５は、原位置に位置する非演出態様と終端位置に位置する演出態様のいずれかの態様に変化可能な部材である。本実施形態では、リング歯車４２の周方向に沿って計八つの第二演出部材５が設けられている（図１０、図１１参照）。各第二演出部材５は、ガイド部材６２に対してスライド自在に係合されたスライドベース５１、およびこのスライドベース５１に固定された演出体５２を有する。
【００３３】
スライドベース５１は、ガイド部材６２に対し、リング歯車４２の外側から中央に向かう方向にスライド自在に係合されている。スライドベース５１は、各スライドベース５１の隣に設けられた第二演出部材駆動モータ６の動力により駆動する。この動力の伝達は特定の方法に限定されない。本実施形態では、第二演出部材駆動モータ６を駆動させると、第二演出部材駆動モータ６の出力軸と一体的に回転する出力歯車６１に噛み合う歯車部を有するカム部材（図示せず）によってスライドベース５１が押され、当該スライドベース５１がガイド部材６２に沿ってスライドする。演出体５２は、スライドベース５１の中央側端部に固定されている。スライドベース５１が最も外側に位置するときの態様が非演出態様であり、最も中央側に位置するときが演出態様となる。
【００３４】
演出体５２は、前側に位置する装飾部５２１と後側に位置するベース部５２２とを有する。これら装飾部５２１とベース部５２２とによって囲まれる内側の空間に、光源（例えばＬＥＤ光源）が実装された基板５３（図９参照）が収容されている。光源は基板５３の裏面（後面）側および表面（前面）側の両方に実装されている。つまり、基板５３の裏面に実装された後側光源５４（図８（ｂ）および図９（ｂ）参照）は後方に向けて光を出射し、基板５３の表面に実装された前側光源５５（図８（ｂ）および図９（ａ）参照）は前方に向けて光を出射する。装飾部５２１の表面には演出効果を発現する装飾面５２１１が形成されており、基板５３の表面に実装された前側光源５５から出射された光は当該装飾面５２１１を照らす。
【００３５】
演出体５２が最も中央側に位置したとき、すなわち第二演出部材５が演出態様となったとき、第二演出部材５の演出体５２は、第一演出部材３が演出態様となっている場合には、その第一演出部材３の装飾面３６の少なくとも一部と前後方向に重なる。このとき、本実施形態では、第一演出部材３が見えるようにするために、第一演出部材３の装飾面３６側と第二演出部材５の裏面側との間に上記空間Ｓが形成されるが、この空間Ｓの周囲の部材が遊技機外部（例えば店内の照明等）の光を遮り、その空間Ｓを暗くするため第一演出部材３の装飾面３６が見えにくくなる。しかしながら、上記のように第二演出部材５に設けられた後側光源５４が後方に向けて光を出射することで、暗くなった空間Ｓを明るくし、暗くなって見えにくくなった第一演出部材３の装飾面３６を空間Ｓを介して見えやくすることが可能となる。
【００３６】
以下、このような構成を備える第一演出部材３および第二演出部材５による作用（演出）について、一部上記説明と重複するが詳細に説明する。
【００３７】
第一演出部材３が非演出態様にある状態から第一演出部材駆動モータ４を一方に駆動させると第一演出部材３が演出態様となる。この演出態様にある第一演出部材３は、表示装置９３（表示画面）と前後方向で重なる。同様に、第二演出部材５の少なくとも一つが非演出態様にある状態から当該第二演出部材５に対応する第二演出部材駆動モータ６を一方に駆動させるとその第二演出部材５が演出態様となる。この演出態様にある第二演出部材５は、第一演出態様の装飾面３６の少なくとも一部および表示装置９３（表示画面）と前後方向で重なる（図２、図１１参照）。第一演出部材３と第二演出部材５のどちらを先に演出態様とするかは問わない。一方の演出部材を先に演出態様とした後、他方の演出部材を演出態様にしてもよいし、両演出部材を同時に駆動させてもよい。
【００３８】
前後方向で第一演出部材３と第二演出部材５が重なった状態で第二演出部材５の後側光源５４が光を出射すると、第二演出部材５における演出体５２の後方から光が出射され、当該光により第一演出部材３と第二演出部材５の間の空間Ｓ（図３参照）、および第二演出部材５（演出体５２）に重なる部分を有する第一演出部材３の装飾面３６が照らされる。つまり、第一演出部材３には光源が設けられていないものの、第二演出部材５から出射される光により、あたかも光源を有しているかのような演出効果を発現する。演出態様にある第一演出部材３は、上述のように回転させてもよいし、回転させなくてもよい。本実施形態では、回転する第一演出部材３に向けて後側光源５４から光が出射されるように構成される。このように回転する第一演出部材３が光で照らされることにより、後側光源５４から出射された光が第一演出部材３の装飾面３６でランダムに反射されるため、回転させない場合よりも激しい演出効果を発現する。
【００３９】
また、本実施形態では、一方の演出部材のみ演出態様となった際は空間Ｓが形成されず、第一演出部材３と第二演出部材５がともに演出態様となった際（前後方向に重なった際）に空間Ｓが形成されるように構成しているが、いずれか一方または両方が演出態様となった際に空間Ｓが形成されるように構成してもよい。例えばいずれか一方の演出部材が演出態様となった際に他方の演出部材と重なりあって空間Ｓが形成される構成であってもよい。
【００４０】
また、第二演出部材５の前側光源５５が光を出射することにより、第二演出部材５の装飾面５２１１も当該光源から出射された光で照らされる。つまり、第二演出部材５に設けられた前側光源５５および後側光源５４により、第一演出部材３の装飾面３６と第二演出部材５の装飾面５２１１の両方が光で照らされた演出を提供することができる。なお、第一演出部材３の装飾面３６と第二演出部材５の装飾面５２１１は別々のタイミングで光に照らされるようにしてもよいし、同時に光に照らされるようにしてもよい。
【００４１】
また、第一演出部材３および第二演出部材５は、前後方向で表示装置９３にも重なる。そのため、表示装置９３の光（映像）で第一演出部材３や第二演出部材５を後方から照らすこともできる。つまり、演出態様にある第一演出部材３は、第二演出部材５に設けられた後側光源５４により前側から照らされ、表示装置９３により後側から照らされた状態とすることが可能である。同様に、演出態様にある第二演出部材５は、前側光源５５により演出体５２の装飾面５２１１（装飾部５２１）のみが照らされ、表示装置９３により演出体５２の全体が後側から照らされた状態とすることが可能である。このとき、光源のない第一演出部材３の装飾面３６は、表示装置９３の光が第一演出部材によって遮られるため、明るくなった周囲によって暗く感じさせてしまう（目立たなくなる）が、第一演出部材５の演出体５２が装飾面３６と重なった際に後側光源５４によって装飾面３６が照らされるため、上記のように装飾面３６を暗く感じさせることを抑制することが可能となる。
【００４２】
以上説明した本実施形態にかかる遊技機１によれば、次のような効果が奏される。
【００４３】
本実施形態にかかる遊技機１では、第一演出部材３は光源を備えていないが、第二演出部材５と前後方向で重なったとき、この第二演出部材５に設けられた後側光源５４により照らされる。つまり、当該演出部材の重なりにより遊技領域が暗くなってしまうのを抑制することが可能である。
【００４４】
また、第二演出部材５と前後方向で重なることがある第一演出部材３の装飾面３６は、後側光源５４から出射された光を反射可能な材料で形成されているため、光源が設けられていない第一演出部材３に、あたかも光源が設けられているかのような演出効果を発現させることが可能となる。
【００４５】
特に、本実施形態にかかる遊技機１は、第一演出部材３に第二演出部材５が重なることを利用した点で優れる。つまり、第一演出部材３とは異なる演出部材である第二演出部材５にその第二演出部材５の装飾面５２１１を照らすための光源（前側光源５５）が設けられることを巧みに利用し、装飾面５２１１を照らすための光源（前側光源５５）が実装された基板５３を第一演出部材３を照らすための光源（後側光源５４）が実装される基板５３として共通化を図った点、換言すれば、第二演出部材５を演出部材としてだけでなく第一演出部材３の演出効果を向上させる部材として機能させている点で優れる。
【００４６】
また、第一演出部材３は、演出態様に変化したときその態様を維持しながら回転することが可能である。このように回転している第一演出部材３に対し第二演出部材５に設けられた後側光源５４から光を照射することで、当該光が第一演出部材３の装飾面３６でランダムに反射されるから、より激しい演出効果を発現させることが可能である。
【００４７】
このように第一演出部材３が回転する場合、第一演出部材３自体に光源を設けることは極めて困難である。第一演出部材３に設けられた光源に電力を供給したり、制御信号を送る配線を、回転することがある（位置が変化する）第一演出部材３に沿って設けることは困難であるからである。特に、本願のように回転を支持する部分（本実施形態ではリング歯車４２に相当する部分）が中央ではなく第一演出部材３よりも外側に設けられる構成である場合、回転する各第一演出部材３に沿って配線を設けることは限りなく不可能に近いものと思われる。このように光源を設けることが極めて困難な回転する演出部材であっても、光源を設けた場合に匹敵する演出効果を発現させることが可能な点で本実施形態にかかる遊技機１は優れるものである。
【００４８】
さらに、第一演出部材３は、表示装置９３の光（映像）によって後方からも照らされる。したがって、第一演出部材３が後側光源５４による前方からの光および表示装置９３による後方からの光によって照らされた演出を提供することが可能である。また、第二演出部材５が前側光源５５により演出体５２の装飾面５２１１（装飾部５２１）のみが照らされ、表示装置９３により演出体５２の全体が後側から照らされた演出を提供することが可能である。
【００４９】
以上、本発明の実施の形態について詳細に説明したが、本発明は上記実施の形態に何ら限定されるものではなく、本発明の要旨を逸脱しない範囲で以下のような種々の改変が可能である。
【００５０】
例えば、本実施形態では、第一演出部材３および第二演出部材５はともに、非演出態様と演出態様という二つの態様に変化可能な構成であることを説明したが、これ以外の態様に変化可能な構成であってもよい。第一演出部材３が変化可能な複数の態様のうちの少なくとも一態様にあり、第二演出部材５が変化可能な複数の態様のうちの少なくとも一態様にあるときおいて、第一演出部材３の少なくとも一部と第二演出部材５の少なくとも一部が前後方向に重なる構成であれば、本発明の技術思想は適用可能である。また、第一演出部材３および第二演出部材５の具体的な形状、態様を変化させる機構などは、本発明の趣旨を逸脱しない範囲において適宜変更可能である。
【符号の説明】
【００５１】
１  遊技機
３  第一演出部材
３１、３２  支持体
３１１、３２１  一方側端部
３３、３４  装飾体
３５  回転体
３６  装飾面
４  第一演出部材駆動モータ
４２  リング歯車
４２１  長孔
５  第二演出部材
５１  スライドベース
５２  演出体
５２１  装飾部
５２１１  装飾面
５２２  ベース部
５３  基板
５４  後側光源
５５  前側光源
６  第二演出部材駆動モータ
Ｓ  空間
【要約】      （修正有）【課題】演出部材の重なりにより遊技領域が暗くなってしまうのを抑制することができるぱちんこ遊技機を提供する。【解決手段】第一演出部材３における第二演出部材５と前後方向で重なる範囲には光源が設けられていない一方、第二演出部材５にはその裏面側に後方に向けて光を照射する光源が設けられており、第一演出部材３と第二演出部材５が前後方向で重なった状態にあるときには第一演出部材３の装飾面３６側と第二演出部材５の裏面側との間に空間Ｓが形成され、第二演出部材５に設けられた光源がその裏面側から第一演出部材３の装飾面３６に向けて光を照射するように構成されている。【選択図】図３【図１】
0005411342.tif 000002
【図２】
0005411342.tif 000003
【図３】
0005411342.tif 000004
【図４】
0005411342.tif 000005
【図５】
0005411342.tif 000006
【図６】
0005411342.tif 000007
【図７】
0005411342.tif 000008
【図８】
0005411342.tif 000009
【図９】
0005411342.tif 000010
【図１０】
0005411342.tif 000011
【図１１】
0005411342.tif 000012
【図１２】
0005411342.tif 000013